(57)【要約】【課題】システム監視品質を低下させずに障害通知量を削減することが出来る障害監視装置を得る。【解決手段】制御部４は、障害検知部３が出力する被監視部２での障害の発生および回復の検出信号を一定周期で監視し、検出信号が障害の発生を示しているときは検出信号の確認と同時に出力部５を経由してオペレーション装置６へ通知し、検出信号が障害の回復を示しているときは回復の状態が３秒継続した時点で出力部５を経由してオペレーション装置６へ通知する。【選択図】　　　　図１
2004015661.tif 000002
【特許請求の範囲】
【請求項１】
被監視部の障害発生および回復を検出し、検出信号を出力する障害検知部と、
上記検出信号が障害の発生を示しているときは検出信号の確認と同時にオペレーション装置へ障害発生の状態を表す通知情報を出力し、上記検出信号が障害の回復を示しているときは回復状態が一定時間継続した時点でオペレーション装置へ障害回復の状態を表す通知情報を出力する制御部とを備えた障害監視装置。
【請求項２】
制御部は、障害検知部で障害の回復が検出された時刻を障害回復時刻として記憶し、オペレーション装置へ障害回復の状態を表す通知情報を出力する際、上記障害回復時刻を上記通知情報に付加することを特徴とする請求項１記載の障害監視装置。
【請求項３】
被監視部の障害発生および回復を検出し、検出信号を出力する障害検知部と、
上記検出信号を確認すると同時に障害発生および回復の状態を表す通知情報をオペレーション装置へ出力し、
また、一定時間内に検出される障害発生と回復の繰り返しの頻度が一定数を超えた場合は障害多発状態と判定し、検出信号が障害の回復を示しているときは回復状態が一定時間継続した時点でオペレーション装置へ障害回復の状態を表す通知情報を出力するように切替える制御部とを備えた障害監視装置。
【請求項４】
被監視部の障害発生および回復を検出し、検出信号を出力する障害検知部と、
上記検出信号を確認すると同時に障害発生および回復の状態を表す通知情報をオペレーション装置へ出力し、
また、一定時間内に検出される障害発生と回復の繰り返しの頻度が一定数を超えた場合は障害多発状態と判定し、オペレーション装置へ障害多発状態であることを通知するとともに、オペレーション装置への障害発生および回復の状態を表す通知情報の出力を停止する制御部とを備えた障害監視装置。
【発明の詳細な説明】
【０００１】
【発明の属する技術分野】
この発明は、監視対象である各種設備で起こった障害の発生および回復を検出し、通報する障害監視装置に関するものである。
【０００２】
【従来の技術】
例えば光通信システムでは、通信の品質を常時監視し、障害発生時にはシステム管理者が監視のために利用するオペレーション装置に通知することが必要であるが、通信品質が微妙に悪化しているために短時間に障害の発生と回復を連続的に繰り返す状態になることがしばしば発生する。その時、全ての障害発生および回復についてオペレーション装置に通知すると、大量の通知が発行され、システムの負荷が重くなるとともに、システム管理者にとっても大量の通知の中から本当に必要な通知を抽出しなければならないため手間が増す。そのため、大量に発生する障害の発生および回復通知から、必要な通知のみを抽出してオペレーション装置へ送信する方式を採用することが望まれる。従来では、例えば特開平５−１７５９２１号公報に示された障害監視装置のように、障害の発生および復旧を一定時間継続して検知した場合にのみ、オペレーション装置へ通知を行うことにより実現していた。
【０００３】
図１２は、特開平５−１７５９２１号公報に示された、障害監視装置を示す構成図である。図において、１０１は被監視ユニット、１０２は監視ユニット、１０３はソフトウェア、１０４は監視用のオペレーション装置としての報告ターミナル、１０５は継続発生復旧監視回路、１０６は処理部である。被監視ユニット１０１は、通信など装置が本来目的とする処理を行う処理部１０６と、処理部１０６で発生する障害の検出を行う継続発生復旧監視回路１０５を有する。監視ユニット１０２は、継続発生復旧監視回路１０５から通知された障害の発生および復旧を報告ターミナル１０４に通知するソフトウエア１０３を有する。
【０００４】
次に動作について説明する。
継続発生復旧監視回路１０５は、処理部１０６において発生した障害が一定時間以上継続した場合にのみ、障害の発生をソフトウエア１０３へ通知する。監視ユニット１０２は、継続発生復旧監視回路１０５から通知された障害を報告ターミナル１０４へ通知できる形に処理し、通知する。
【０００５】
復旧の場合も同様に、処理部１０６において復旧した障害が一定時間以上継続した場合にのみ継続発生復旧監視回路１０５が障害の復旧を監視ユニット１０２へ通知し、監視ユニット１０２が報告ターミナル１０４へ障害復旧の通知を行う。
【０００６】
図１３は、従来の障害監視装置によるオペレーション装置への障害通知例を示す図である。ここでは、監視周期を１秒、ソフトウェア１０３へ通知を行うために障害の発生および復旧の継続を確認する時間を３秒としたときの、報告ターミナル１０４への通知例を示す。図中、「検出された障害発生／回復」は、処理部１０６で起こった障害の発生および回復を示しており、「連続発生／回復時間」はそれぞれの継続時間を表す。また、「オペレーション装置への通知」は、報告ターミナル１０４に対し、障害の発生および回復が通知されるタイミングを示している。図より、障害の発生は１，３，７，９，１４，１８，２０，２７の各秒に、回復は２，６，８，１０，１７，１９，２４，２８の各秒に起こっているが、３秒以上連続して発生および回復が検知されないと報告ターミナル１０４への通知は行われないので、発生については５，１６の各秒に、回復については１２，２６の各秒のみ通知される。ここで例えば、２７秒に発生した障害は１秒で回復しており継続確認時間である３秒を下回っているので、報告ターミナル１０４への通知は行われない。
【０００７】
【発明が解決しようとする課題】
従来の障害監視装置は以上のように構成されているので、障害の発生も復旧も一定時間継続しない限り、システム管理者が利用する報告ターミナル１０４へ通知されない。そのため、瞬時に発生または回復したために一定時間に達しなかった障害が断続的に発生した場合は、報告ターミナル１０４へ全く障害の通知がされないことになり、システム監視品質の低下を招いてしまうという課題があった。
【０００８】
この発明は上記のような課題を解決するためになされたもので、障害が瞬時に発生および回復を繰り返す場合でも、システム管理者にとって必要な障害は取りこぼさずに通知し、システム監視品質を低下させずに通知量を削減することが出来る障害監視装置を得ることを目的とする。
【０００９】
【課題を解決するための手段】
この発明に係る障害監視装置は、被監視部の障害発生および回復を検出し、検出信号を出力する障害検知部と、検出信号が障害の発生を示しているときは検出信号の確認と同時にオペレーション装置へ障害発生の状態を表す通知情報を出力し、検出信号が障害の回復を示しているときは回復状態が一定時間継続した時点でオペレーション装置へ障害回復の状態を表す通知情報を出力する制御部とを備えたものである。
【００１０】
この発明に係る障害監視装置は、制御部は、障害検知部で障害の回復が検出された時刻を障害回復時刻として記憶し、オペレーション装置へ障害回復の状態を表す通知情報を出力する際、障害回復時刻を通知情報に付加するものである。
【００１１】
この発明に係る障害監視装置は、被監視部の障害発生および回復を検出し、検出信号を出力する障害検知部と、検出信号を確認すると同時に障害発生および回復の状態を表す通知情報をオペレーション装置へ出力し、また、一定時間内に検出される障害発生と回復の繰り返しの頻度が一定数を超えた場合は障害多発状態と判定し、検出信号が障害の回復を示しているときは回復状態が一定時間継続した時点でオペレーション装置へ障害回復の状態を表す通知情報を出力するように切替える制御部とを備えたものである。
【００１２】
この発明に係る障害監視装置は、被監視部の障害発生および回復を検出し、検出信号を出力する障害検知部と、検出信号を確認すると同時に障害発生および回復の状態を表す通知情報をオペレーション装置へ出力し、また、一定時間内に検出される障害発生と回復の繰り返しの頻度が一定数を超えた場合は障害多発状態と判定し、オペレーション装置へ障害多発状態であることを通知するとともに、オペレーション装置への障害発生および回復の状態を表す通知情報の出力を停止する制御部とを備えたものである。
【００１３】
【発明の実施の形態】
以下、この発明の実施の一形態を説明する。
実施の形態１．
図１はこの発明の実施の形態１による障害監視装置の構成を示すブロック図である。図において、１は監視装置、２は被監視部、３は障害検知部、４は制御部、５は出力部（制御部）、６はオペレーション装置である。監視装置１は、例えば光通信装置などであり、被監視部２は本来の目的である通信処理等を行い、障害検知部３、制御部４、出力部５にて、被監視部２での障害の発生および回復の監視を行う。
また、オペレーション装置６は、管理者が監視装置１の監視を行うために利用され、ディスプレイへの表示等により監視装置１の障害を監視することが出来る。オペレーション装置６へは、制御部４が出力した障害通知データを出力部５がオペレーション装置６へ通知出来る形式に変換して出力する。
【００１４】
次に動作について説明する。
被監視部２において障害が発生または回復すると、障害検知部３により検知される。障害検知部３により検知された障害の発生および回復は、制御部４に出力される。図２は、この発明の実施の形態１による、制御部４が行う障害通知の制御処理のフローチャートである。ここでは監視周期を１秒とし、障害回復をオペレーション装置６へ通知するために継続を確認する時間を３秒とする。
【００１５】
ステップＳＴ１およびステップＳＴ２は制御部４内部の初期化処理であり、それぞれ警報フラグをＯＦＦに設定し、障害の回復継続時間を０秒に設定する。警報フラグは、現時点での障害の発生または回復の状態を表しており、ＯＦＦであれば障害は発生していない状態、ＯＮであれば障害の発生が継続している状態である。制御部４による監視はステップＳＴ３からステップＳＴ１５までのステップを１秒ごとの定周期で繰り返し行う。
【００１６】
ステップＳＴ３で制御部４は、障害検知部３からの障害の検出信号の有無を確認する。ステップＳＴ４では検出信号の内容が障害の発生であるか回復であるかを判断し、発生であると判断された場合はステップＳＴ５へ、回復であると判断された場合はステップＳＴ９へ進む。
【００１７】
ステップＳＴ５では、制御部４は警報フラグを参照し、警報フラグがＯＮになっていれば、現在、障害の発生が継続している状態であると判断し、出力部５への通知は行わずにステップＳＴ１５へ進み、次回周期の監視まで待機する。ステップＳＴ５において、警報フラグがＯＦＦになっていれば、現在、障害は発生していない状態であると判断され、ステップＳＴ６で制御部４は警報フラグをＯＮにする。次にステップＳＴ７で制御部４は障害の発生を出力部５へ通知し、出力部５はオペレーション装置６へ通知できる形式に障害発生通知を変換し、出力する。次にステップＳＴ８で障害の回復継続時間を０秒に設定し、ステップＳＴ１５へ進んで、次回周期の監視まで待機する。
【００１８】
ステップＳＴ９では、制御部４は警報フラグを参照し、警報フラグがＯＦＦになっていれば、現在、障害は発生しておらず回復状態が継続していると判断し、出力部５への通知は行わずにステップＳＴ１５へ進み、次回周期の監視まで待機する。ステップＳＴ９において、警報フラグがＯＮになっていれば、現在、障害の発生が継続している状態であると判断し、ステップＳＴ１０へ進み制御部４は回復継続時間を１秒加算する。次にステップＳＴ１１で制御部４は回復継続時間の確認を行い、３秒未満である場合は、障害回復の通知を行う条件に達していないと判断してステップＳＴ１５へ進み、次回の監視まで待機する。回復継続時間が３秒以上であれば、ステップＳＴ１２で回復継続時間を０秒に戻し、ステップＳＴ１３で警報フラグをＯＦＦに設定し、ステップＳＴ１４で障害の回復を出力部５を経由してオペレーション装置６へ通知する。その後ステップＳＴ１５へ進み、次回周期の監視まで待機する。
【００１９】
ステップＳＴ１５では、制御部４は次の監視周期まで待機し、ステップＳＴ３に戻る。
【００２０】
図３は、この発明の実施の形態１による障害監視装置によるオペレーション装置への障害通知例を示す図である。図中、「検出された障害発生／回復」は、障害検知部３により検出された被監視部２での障害の発生および回復を示しており、図１３に示した従来の障害通知例と同じ条件になっている。「連続回復時間」は回復状況の継続時間を表す。また、「オペレーション装置への通知」は、オペレーション装置６に対し、障害の発生および回復が通知されるタイミングを示している。図より、障害の発生は１，３，７，９，１４，１８，２０，２７の各秒に、回復は２，６，８，１０，１７，１９，２４，２８の各秒に起こっている。実施の形態１では障害の発生は無条件に、回復は３秒以上連続して検知された場合にオペレーション装置６へ通知するので、発生については１，１４，２７の各秒に、回復については１２，２６，３０の各秒に通知される。従来例では通知できなかった２７秒での障害発生および２８秒での障害回復を、ここではそれぞれ２７秒と３０秒にオペレーション装置６へ通知することが出来る。
【００２１】
以上のように、この実施の形態１によれば、制御部４は、障害検知部３による被監視部２での障害の検出信号を一定周期で監視し、障害の発生を示す検出信号が出力された場合には、無条件に出力部５を介してオペレーション装置６へ通知し、検出信号が障害の回復を示している場合には、回復の通知が３秒継続したら通知するようにしたので、瞬時に発生した障害を取りこぼすことなく通知することが可能であり、監視品質の低下を招くことなく通知量を削減し、システム管理者にとって必要な障害の通知が行えるという効果が得られる。
【００２２】
実施の形態２．
実施の形態２による障害監視装置の構成は、図１に示されるものと同一であるが、制御部４の動作が異なる。
次に動作について説明する。
図４は、この発明の実施の形態２による、制御部４が行う障害通知の制御処理のフローチャートである。ステップＳＴ１、ステップＳＴ２は図２と同様、制御部４内部の初期化処理である。また実施の形態１と同様に、制御部４による監視はステップＳＴ３からステップＳＴ１５までのステップを１秒ごとの定周期で繰り返し行う。
【００２３】
ステップＳＴ３で障害検知部３からの障害の検出信号を確認すると、ステップＳＴ４では検出信号の内容が障害の発生であるか回復であるかを判断し、発生であると判断された場合はステップＳＴ５へ、回復であると判断された場合はステップＳＴ９へ進む。ステップＳＴ５へ進んだ場合、以降の処理は実施の形態１と同様である。
【００２４】
ステップＳＴ９では、制御部４は警報フラグを参照し、警報フラグがＯＦＦになっていれば、現在、障害は発生していない（回復状態が継続している）と判断し、出力部５への通知は行わずにステップＳＴ１５へ進み、次回周期の監視まで待機する。ステップＳＴ９において、警報フラグがＯＮになっていれば、現在、障害の発生が継続している状態であると判断し、ステップＳＴ４１へ進む。ステップＳＴ４１で制御部４は、回復継続時間を確認する。回復継続時間が０秒である場合は、現時点で障害の発生から回復に転じたものと判断し、ステップＳＴ４２で制御部４は、現在の時刻を障害検知部３で障害の回復が検出された時刻（障害回復時刻）として保存する。ステップＳＴ４１で回復継続時間が０秒でないことを確認した場合は、障害の回復状態が継続していると判断して、ステップＳＴ４２をスキップしてステップＳＴ１０に進む。
【００２５】
ステップＳＴ１０で制御部４は回復継続時間を１秒加算する。次にステップＳＴ１１で制御部４は回復継続時間の確認を行い、３秒未満である場合は、障害回復の通知を行う条件に達していないと判断してステップＳＴ１５へ進み、次回の監視まで待機する。回復継続時間が３秒以上であれば、ステップＳＴ１２で回復継続時間を０秒に戻し、ステップＳＴ１３で警報フラグをＯＦＦに設定する。ステップＳＴ４３で制御部４は、出力部５を経由してオペレーション装置６へ障害の回復を通知する。その際、制御部４に保存していた障害回復時刻をオペレーション装置６への通知情報に付加する。その後ステップＳＴ１５へ進み、次回周期の監視まで待機する。
【００２６】
図５は、この発明の実施の形態２による障害監視装置によるオペレーション装置への障害通知例を示す図である。被監視部２で発生した障害の発生および回復は図３と同条件になっている。実施の形態１と同様に実施の形態２においても、障害の回復については障害が回復し始めてから３秒経過後にオペレーション装置６に通知されるが、実施の形態２では障害回復時刻が通知情報に付加されており、障害が回復し始めた１０秒、２４秒、２８秒という遅延のない正確な時刻の情報が付加されるため、監視品質を向上させることができる。
【００２７】
以上のように、この実施の形態２によれば、制御部４は、障害検知部３で障害の回復が検出された時刻を障害回復時刻として記憶し、障害の回復をオペレーション装置６へ通知する際に、障害回復時刻を併せて通知するようにしたので、障害の発生および回復の検出時刻については遅延のない正確な時刻の通知が可能であり、監視品質がさらに向上するという効果が得られる。
【００２８】
実施の形態３．
実施の形態３による障害監視装置の構成は、図１に示されるものと同一であるが、制御部４の動作が異なる。実施の形態３では、制御部４は、障害の発生および回復が短時間に多発する障害ばたつき状態（障害多発状態）であるかどうかを監視し、障害ばたつき状態の時と通常状態の時で、オペレーション装置６への通知の規則を変える。
【００２９】
図６は、この発明の実施の形態３による、制御部４が行う障害ばたつき状態監視のフローチャートである。ここでは、制御部４は、現時点から過去５秒間に５回以上の障害の発生および回復が検知された場合に障害ばたつき状態であるとみなす。ステップＳＴ１０１からステップＳＴ１０３は制御部４で記憶している情報についての初期化処理である。ステップＳＴ１０１でばたつきフラグをＯＦＦにする。ばたつきフラグは障害ばたつき状態であるか通常状態であるかを表しており、ＯＮであれば障害ばたつき状態、ＯＦＦであれば通常状態である。次にステップＳＴ１０２で５秒間の障害発生および回復累計を０件にし、ステップＳＴ１０３にて０秒前（現在）から５秒前までのそれぞれの時点で障害検知部３により検知された障害の発生および回復数を０件に設定する。
【００３０】
障害ばたつき状態の監視は、０秒前（現在）から４秒前までの障害の発生および回復検知数を累計することにより行うので、ステップＳＴ１０４で制御部４は、５秒前の障害発生および回復検知数を０件にクリアする。ステップＳＴ１０５では、制御部４は障害検知部３で検知した障害の発生および回復件数を０秒前時点での障害発生および回復の検知数として格納する。次にステップＳＴ１０６で、０秒前から４秒前までの障害発生および回復検知数を累計し、ステップＳＴ１０７で制御部４は、ステップＳＴ１０６で得た累計が５件を超えているかを確認する。５件を超えている場合は、障害ばたつき状態と判断され、ステップＳＴ１０８で制御部４はばたつきフラグをＯＮに設定する。また、ステップＳＴ１０７で５件未満であればステップＳＴ１０９にスキップする。ステップＳＴ１０９で制御部４は、ステップＳＴ１０６で得た累計が０件であるかどうか判定し、０件である場合は、障害ばたつき状態は解消しているものと判断し、ステップＳＴ１１０でばたつきフラグをＯＦＦに設定する。ステップＳＴ１０９で、累計が０件でなかった場合は、ステップＳＴ１１１にスキップする。ステップＳＴ１１１では０秒前から４秒前の障害発生および回復検知数として記憶されている値を、次回の障害ばたつき状態判断のため、１秒前から５秒前までの障害発生および回復検知数にシフトして格納し、ステップＳＴ１０４に戻る。
【００３１】
図７は、この発明の実施の形態３による、制御部４が行う障害通知の制御処理のフローチャートである。実施の形態１と同様に、制御部４から出力部５への障害発生および回復の通知はステップＳＴ３からステップＳＴ１５までのステップを１秒ごとの定周期で繰り返し行うことにより処理される。ステップＳＴ４で制御部４が障害検知部３からの通知により障害の回復を検知し、ステップＳＴ９で、警報フラグがＯＮになっていることを確認すると、現在は障害が発生している状態と判断され、ステップＳＴ６１に進む。ステップＳＴ６１で制御部４は、ばたつきフラグの値を確認し、ばたつきフラグがＯＮであれば障害ばたつき状態であると判断してステップＳＴ１０へ進み、また、ばたつきフラグがＯＦＦであれば通常状態であると判断してステップＳＴ１３へ進む。通常状態の場合は障害回復の継続確認は行わないので、ステップＳＴ１３では、障害は回復したものとし、制御部４は警報フラグをＯＦＦに設定する。次に、ステップＳＴ１４で障害の回復を出力部５経由でオペレーション装置６へ通知する。ステップＳＴ６１にて、障害ばたつき状態であると判断された場合は、ステップＳＴ１１からステップＳＴ１４までの処理で障害回復の継続確認を行う。ステップＳＴ１１で回復継続時間が３秒以上であれば、障害は回復したものとし、ステップＳＴ１２で回復継続時間を０秒に設定し、ステップＳＴ１３で警報フラグをＯＦＦに設定し、ステップＳＴ１４で出力部５への通知を行う。ステップＳＴ１１で回復継続時間が３秒未満であるときは、ステップＳＴ１５へ進み、次回の監視まで待機する。
ステップＳＴ４で、障害の発生が通知されたときは、実施の形態１と同様に、ステップＳＴ５からステップＳＴ１５までの処理を行い、オペレーション装置６に、障害の発生を通知する。
【００３２】
図８は、この発明の実施の形態３による障害監視装置によるオペレーション装置への障害通知例を示す図である。図より、障害検知部３に検知された障害の発生は１，３，７，９，１４，１８，２０の各秒に、回復は２，６，８，１０，１７，１９，２４の各秒に起こっている。図中、「障害発生／回復累計」は、過去５秒間の障害発生および回復検知数を示している。また、「警報ばたつきフラグ」は、警報ばたつきフラグのＯＮ、ＯＦＦを示しており、「障害発生／回復累計」が５件以上になった１０秒から０件になった２９秒までは、警報ばたつきフラグはＯＮの状態になっている。警報ばたつきフラグがＯＦＦの間は、制御部４は障害検知部３で検知された障害発生および回復をそのまま出力部５経由でオペレーション装置６へ通知する。警報ばたつきフラグがＯＮの間は障害回復については３秒以上継続が確認された時点で、制御部４により出力部５経由でオペレーション装置６へ通知される。このため、障害ばたつき状態の時は、オペレーション装置６への通知は、発生が１４秒、回復が１２秒、２６秒となる。このように障害ばたつき状態が発生するまでは、正確にオペレーション装置６へ障害の発生および回復の通知がされ、障害ばたつき状態が確認された後はオペレーション装置６への不要な通知を削減することが出来る。
【００３３】
以上のように、この実施の形態３によれば、制御部４が過去５秒間の障害の発生および回復検知数を累計することにより障害ばたつき状態が発生していないか監視し、障害ばたつき状態が回復するまでの間はオペレーション装置６への通知を削減するようにしたので、通常状態の時や障害ばたつき状態が確認される直前までの障害多発時には、検知された障害の発生および回復をとりこぼしなく通知し、障害ばたつき状態の間は通知量を削減してシステム管理者にとって必要な障害のみ通知出来るという効果が得られる。
【００３４】
実施の形態４．
実施の形態４による障害監視装置の構成は、図１に示されるものと同一であるが、制御部４の動作が異なる。実施の形態４でも、制御部４は障害ばたつき状態の時と通常状態の時でオペレーション装置６への通知の規則を変えるが、動作は実施の形態３と異なる。
【００３５】
図９は、この発明の実施の形態４による、制御部４が行う障害ばたつき状態監視のフローチャートである。
障害ばたつき状態の監視は、実施の形態３と同様に、０秒前（現在）から４秒前までの障害の発生および回復検知数を累計することにより行う。実施の形態４では、ステップＳＴ１０７で制御部４により、ステップＳＴ１０６で得た０秒前から４秒前までの障害発生および回復検知数の累計が５件以上と判断されると、ステップＳＴ８０８に進む。ステップＳＴ８０８では、制御部４はばたつきフラグをＯＮにするとともに、出力部５経由でオペレーション装置６に対し、障害ばたつき状態発生通知を送信する。ステップＳＴ１０７で５件未満であればステップＳＴ１０９にスキップする。ステップＳＴ１０９で制御部４は、ステップＳＴ１０６で得た累計が０件であるかどうか判定し、０件である場合は、障害ばたつき状態は解消しているものと判断し、ステップＳＴ８１０でばたつきフラグをＯＦＦにするとともに、出力部５経由でオペレーション装置６に対し、障害ばたつき状態回復通知を送信する。ステップＳＴ１０９で、累計が０件でなかった場合は、ステップＳＴ１１１にスキップする。ステップＳＴ１１１では０秒前から４秒前の障害発生および回復検知数として記憶されている値を、次回の障害ばたつき状態判断のため、１秒前から５秒前までの障害発生および回復検知数にシフトして格納し、ステップＳＴ１０４に戻る。
【００３６】
図１０は、この発明の実施の形態４による障害通知の制御処理のフローチャートである。ステップＳＴ８１で制御部４は、ばたつきフラグを確認し、ばたつきフラグがＯＮである場合は、出力部５への通知は一切行わずステップＳＴ１５へスキップする。ステップＳＴ８１でばたつきフラグがＯＦＦである場合は、通常状態であると判断され、ステップＳＴ４へ進む。ステップＳＴ４で制御部４が障害検知部３からの通知により障害の回復を検知し、ステップＳＴ９で、警報フラグがＯＮになっていることを確認すると、現在は障害が発生している状態と判断され、ステップＳＴ１３で、障害は回復したものとし、制御部４は警報フラグをＯＦＦに設定する。次に、ステップＳＴ１４で障害の回復を出力部５経由でオペレーション装置６へ通知する。ステップＳＴ９で警報フラグがＯＦＦになっている場合は、ステップＳＴ１５へ進み、次回周期の監視まで待機する。
【００３７】
ステップＳＴ４で、障害の発生が通知されたときは、実施の形態１と同様に、ステップＳＴ５からステップＳＴ１５までの処理を行い、オペレーション装置６に、障害の発生を通知する。
【００３８】
図１１は、この発明の実施の形態４による障害監視装置によるオペレーション装置への障害通知例を示す図である。障害検知部３により検知された障害の発生および回復は図８と同一条件になっており、「障害発生／回復累計」が５件以上になった１０秒から０件になった２９秒までは、警報ばたつきフラグはＯＮの状態になっている。図中、「オペレーション装置へのばたつき通知」は、制御部４が、ばたつき状態と判断したときにオペレーション装置６へ送信される、障害ばたつき状態発生通知および制御部４がばたつき状態が回復したと判断した時に送信される、障害ばたつき状態回復通知の送信タイミングを示している。図より、警報ばたつきフラグがＯＦＦの間は、制御部４は障害検知部３で検知された障害発生および回復をそのまま出力部５を経由してオペレーション装置６へ通知する。１０秒目以降は、障害ばたつき状態が解消される２９秒まで、障害の発生および回復は一切オペレーション装置６へ通知されない。このように、障害ばたつき状態が発生するまでは、正確にオペレーション装置６へ障害の発生および回復の通知がされ、障害ばたつき状態が確認された後はオペレーション装置６への不要な通知を行わないようにすることが出来る。
【００３９】
以上のように、この実施の形態４によれば、制御部４が過去５秒間の障害の発生および回復検知数を累計することにより障害ばたつき状態になっていないかどうか監視し、障害ばたつき状態が発生した場合には制御部４はオペレーション装置６に対し障害ばたつき状態発生通知を送信し、障害ばたつき状態が解消した場合には障害ばたつき状態回復通知を送信するようにしたので、システム管理者は現在の障害発生の状態が把握出来る。また、障害ばたつき状態の間は、オペレーション装置６への通知を全く行わないようにしたので、不要な障害通知を行わず、通常状態の時や障害ばたつき状態が確認されるまでの障害多発時には、障害の発生および回復を取りこぼしなく通知出来るという効果が得られる。
【００４０】
【発明の効果】
以上のように、この発明によれば、障害が瞬時に発生と回復を繰り返すような場合でも、障害を取りこぼすことなく抽出し、さらに、不要な障害発生および回復の通知を削減することが出来るので、システム監視品質を低下させずにシステム管理者にとって必要な情報のみ通知出来るという効果がある。
【００４１】
この発明によれば、障害の発生および回復の検出時刻は正確に通知出来るという効果がある。
【００４２】
この発明によれば、障害の発生と回復の繰り返しが頻繁に起こっている場合には、障害の発生および回復の検出が一定数以上になった時点で、オペレーション装置への通知量を削減出来るという効果がある。
【００４３】
この発明によれば、障害の発生と回復の繰り返しが頻繁に起こっている場合には、障害の発生および回復の検出が一定数以上になった時点でオペレーション装置へその旨を通知し、障害の通知を中断することが出来るという効果がある。
【図面の簡単な説明】
【図１】この発明の実施の形態１による障害監視装置の構成を示すブロック図である。
【図２】この発明の実施の形態１による障害通知の制御処理のフローチャートである。
【図３】この発明の実施の形態１による障害監視装置によるオペレーション装置への障害通知例を示す図である。
【図４】この発明の実施の形態２による障害通知の制御処理のフローチャートである。
【図５】この発明の実施の形態２による障害監視装置によるオペレーション装置への障害通知例を示す図である。
【図６】この発明の実施の形態３による障害ばたつき状態監視のフローチャートである。
【図７】この発明の実施の形態３による障害通知の制御処理のフローチャートである。
【図８】この発明の実施の形態３による障害監視装置によるオペレーション装置への障害通知例を示す図である。
【図９】この発明の実施の形態４による障害ばたつき状態監視のフローチャートである。
【図１０】この発明の実施の形態４による障害通知の制御処理のフローチャートである。
【図１１】この発明の実施の形態４による障害監視装置によるオペレーション装置への障害通知例を示す図である。
【図１２】従来の障害監視装置を示す構成図である。
【図１３】従来の障害監視装置によるオペレーション装置への障害通知例を示す図である。
【符号の説明】
１　監視装置、２　被監視部、３　障害検知部、４　制御部、５　出力部（制御部）、６　オペレーション装置。
【図１】
2004015661.tif 000003
【図２】
2004015661.tif 000004
【図３】
2004015661.tif 000005
【図４】
2004015661.tif 000006
【図５】
2004015661.tif 000007
【図６】
2004015661.tif 000008
【図７】
2004015661.tif 000009
【図８】
2004015661.tif 000010
【図９】
2004015661.tif 000011
【図１０】
2004015661.tif 000012
【図１１】
2004015661.tif 000013
【図１２】
2004015661.tif 000014
【図１３】
2004015661.tif 000015